【手続補正書】
【提出日】平成25年9月12日(2013.9.12)
【手続補正１】
【補正対象書類名】明細書
【補正対象項目名】０００６
【補正方法】変更
【補正の内容】
【０００６】
この発明は、
表示手段と、
該表示手段上における位置を指定する位置指定手段と、
当該電子機器の備える機能の調整量を調整するためのスライダを前記表示手段に表示するスライダ表示手段と、
前記スライダ表示手段により表示された前記スライダに対して前記位置指定手段で行われたユーザによるスライド操作の指定位置に対応する調整位置を前記スライダに対応させて表示する調整位置表示手段と、
前記ユーザによるスライド操作の速度が予め設定されている調整量の変化速度より速いか否かを判別する判別手段と、
前記判別手段により前記ユーザによるスライド操作の速度が前記予め設定されている調整量の変化速度より速いと判別された場合には、該ユーザによるスライド操作の速度より遅い速度へ変化するように調整量を制御する制御手段と、
前記制御手段により制御される調整量に対応する位置を前記スライダに対応させて表示する制御位置表示手段と
を備えることを特徴とする。
【手続補正２】
【補正対象書類名】特許請求の範囲
【補正対象項目名】全文
【補正方法】変更
【補正の内容】
【特許請求の範囲】
【請求項１】
表示手段と、
該表示手段上における位置を指定する位置指定手段と、
当該電子機器の備える機能の調整量を調整するためのスライダを前記表示手段に表示するスライダ表示手段と、
前記スライダ表示手段により表示された前記スライダに対して前記位置指定手段で行われたユーザによるスライド操作の指定位置に対応する調整位置を前記スライダに対応させて表示する調整位置表示手段と、
前記ユーザによるスライド操作の速度が予め設定されている調整量の変化速度より速いか否かを判別する判別手段と、
前記判別手段により前記ユーザによるスライド操作の速度が前記予め設定されている調整量の変化速度より速いと判別された場合には、該ユーザによるスライド操作の速度より遅い速度へ変化するように調整量を制御する制御手段と、
前記制御手段により制御される調整量に対応する位置を前記スライダに対応させて表示する制御位置表示手段と
を備えることを特徴とする電子機器。
【請求項２】
前記制御手段は、前記判別手段により前記ユーザによるスライド操作の速度が前記予め設定されている調整量の変化速度より速いと判別された場合には、該予め設定されている調整量の変化速度に基づいて調整量を制御する一方、該ユーザによるスライド操作の速度が該予め設定されている調整量の変化速度以下と判別された場合には、該ユーザによるスライド操作の速度に基づいて調整量を制御することを特徴とする請求項１に記載の電子機器。
【請求項３】
前記制御手段は、前記判別手段により前記ユーザによるスライド操作の速度が前記予め設定されている調整量の変化速度以下と判別された場合に、ユーザによるスライド操作の速度に対応する速度で、調整量を制御前記調整位置表示手段により表示されている調整位置に対応するレベルまで前記調整量を変化させた後に停止させることを特徴とする請求項２に記載の電子機器。
【請求項４】
前記予め設定されている調整量の変化速度は、調整量の調整範囲を分割した複数の領域の各々に設定可能であり、
前記判別手段は、前記ユーザによるスライド操作の速度が、前記スライド操作に対応する領域に対して設定されている調整量の変化速度より速いか否かを判別することを特徴とする請求項１乃至３のいずれか一項に記載の電子機器。
【請求項５】
前記調整位置表示手段により表示されている調整位置と前記制御位置表示手段により表示されている調整位置とが一致するか否かを判別する一致判別手段と、
前記一致判別手段により、前記調整位置表示手段により表示されている調整位置と前記制御位置表示手段により表示されている調整位置とが一致していると判別された場合、前記調整位置表示手段により表示されている調整位置と前記制御位置表示手段により表示されている調整位置との表示形態を変更する表示形態変更手段と
を更に備えることを特徴とする請求項３又は４に記載の電子機器。
【請求項６】
前記調整位置表示手段により表示されている調整位置と前記制御位置表示手段により表示されている調整位置とが一致するか否かを判別する一致判別手段と、
前記一致判別手段により、前記調整位置表示手段により表示されている調整位置と前記制御位置表示手段により表示されている調整位置とが一致していると判別された場合、前記スライダ表示手段により表示されているスライダの表示形態を変更するスライダ表示形態変更手段と
を更に備えることを特徴とする請求項３又は４に記載の電子機器。
【請求項７】
前記予め設定されている調整量の変化速度は、ユーザにより設定可能であることを特徴とする請求項１乃至４のいずれか一項に記載の電子機器。
【請求項８】
前記予め設定されている調整量の変化速度は、調整量が増加方向の場合と減少方向の場合とで異なるように設定されることを特徴とする請求項１乃至４のいずれか一項に記載の電子機器。
【請求項９】
前記機能は、音声を出力する機能であって、
前記調整量は、前記出力される音声の音量であることを特徴とする請求項１乃至８のいずれか一項に記載の電子機器。
【請求項１０】
前記機能は、撮影機能であって、
前記調整量は、前記撮影機能におけるズーム調整量であることを特徴とする請求項１乃至８のいずれかに記載の電子機器。
【請求項１１】
前記位置指定手段は、タッチパネルであることを特等とする請求項１乃至８のいずれか一項に記載の電子機器。
【請求項１２】
表示手段と、
該表示手段上における位置を指定する位置指定手段と、
当該電子機器の備える機能の調整量を調整するためのスライダを前記表示手段に表示するスライダ表示手段と、
前記スライダ表示手段により表示された前記スライダに対して前記位置指定手段で行われたユーザによる調整位置への位置指定操作に対応する調整位置を前記スライダに対応させて表示する調整位置表示手段と、
前記ユーザによる前記スライダに対する操作が調整位置への位置指定操作であるか否かを判別する判別手段と、
前記判別手段により前記ユーザによる前記スライダに対する操作が調整位置への位置指定操作であると判別された場合には、予め設定されている調整量の変化速度に対応する速度で、前記調整位置表示手段により表示されている調整位置に対応するレベルまで前記調整量を変化させた後に、前記調整量の変化を停止させる制御を行う制御手段と、
前記制御手段により制御される調整量に対応する位置を前記スライダに対応させて表示する制御位置表示手段と、
を備えることを特徴とする電子機器。
【請求項１３】
前記調整位置表示手段により表示されている調整位置と前記制御位置表示手段により表示されている調整位置とが一致するか否かを判別する一致判別手段と、
前記一致判別手段により、前記調整位置表示手段により表示されている調整位置と前記制御位置表示手段により表示されている調整位置とが一致していると判別された場合、前記調整位置表示手段により表示されている調整位置と前記制御位置表示手段により表示されている調整位置との表示形態を変更する表示形態変更手段と
を更に備えることを特徴とする請求項１２に記載の電子機器。
【請求項１４】
前記調整位置表示手段により表示されている調整位置と前記制御位置表示手段により表示されている調整位置とが一致するか否かを判別する一致判別手段と、
前記一致判別手段により、前記調整位置表示手段により表示されている調整位置と前記制御位置表示手段により表示されている調整位置とが一致していると判別された場合、前記スライダ表示手段により表示されているスライダの表示形態を変更するスライダ表示形態変更手段と
を更に備えることを特徴とする請求項１２に記載の電子機器。
【請求項１５】
表示手段と該表示手段上における位置を指定する位置指定手段とを備える電子機器における調整量制御方法であって、
当該電子機器の備える機能の調整量を調整するためのスライダを前記表示手段に表示するスライダ表示ステップと、
前記スライダ表示ステップにより表示された前記スライダに対して前記位置指定手段で行われたユーザによるスライド操作の指定位置に対応する調整位置を前記スライダに対応させて表示する調整位置表示ステップと、
前記ユーザによるスライド操作の速度が予め設定されている調整量の変化速度より速いか否かを判別する判別ステップと、
前記判別ステップにより前記ユーザによるスライド操作の速度が前記予め設定されている調整量の変化速度より速いと判別された場合には、該ユーザによるスライド操作の速度より遅い速度で変化するように調整量を制御する制御ステップと、
前記制御ステップにより制御される調整量に対応する位置を前記スライダに対応させて表示する制御位置表示ステップと
を含むことを特徴とする調整量制御方法。
【請求項１６】
表示手段と該表示手段上における位置を指定する位置指定手段とを備える電子機器における調整量制御方法であって、
当該電子機器の備える機能の調整量を調整するためのスライダを前記表示手段に表示するスライダ表示ステップと、
前記スライダ表示手段により表示された前記スライダに対して前記位置指定手段で行われたユーザによる調整位置への位置指定操作に対応する調整位置を前記スライダに対応させて表示する調整位置表示ステップと、
前記ユーザによる前記スライダに対する操作が調整位置への位置指定操作であるか否かを判別する判別ステップと、
前記判別ステップにより前記ユーザによる前記スライダに対する操作が調整位置への位置指定操作であると判別された場合には、予め設定されている調整量の変化速度に対応する速度で、前記調整位置表示ステップにより表示されている調整位置に対応するレベルまで前記調整量を変化させた後に、前記調整量の変化を停止させる制御を行う制御ステップと、
前記制御ステップにより制御される調整量の位置を前記スライダに対応させて表示する制御位置表示手ステップと
を含むことを特徴とする調整量制御方法。
【請求項１７】
表示手段と該表示手段上における位置を指定する位置指定手段とを備える電子機器のコンピュータに、
当該電子機器の備える機能の調整量を調整するためのスライダを前記表示手段に表示するスライダ表示機能、
前記スライダ表示機能により表示された前記スライダに対して前記位置指定手段で行われたユーザによるスライド操作の指定位置に対応する調整位置を前記スライダに対応させて表示する調整位置表示機能、
前記ユーザによるスライド操作の速度が予め設定されている調整量の変化速度より速いか否かを判別する判別機能、
前記判別機能により前記ユーザによるスライド操作の速度が前記予め設定されている調整量の変化速度より速いと判別された場合には、該ユーザによるスライド操作の速度より遅い速度で変化するように調整量を制御する制御機能、
前記制御機能により制御される調整量に対応する位置を前記スライダに対応させて表示する制御位置表示機能
を実現させるためのプログラム。
【請求項１８】
表示手段と該表示手段上における位置を指定する位置指定手段とを備える電子機器のコンピュータに、
当該電子機器の備える機能の調整量を調整するためのスライダを前記表示手段に表示するスライダ表示機能、
前記スライダ表示機能により表示された前記スライダに対して前記位置指定手段で行われたユーザによる調整位置への位置指定操作に対応する調整位置を前記スライダに対応させて表示する調整位置表示機能、
前記ユーザによる前記スライダに対する操作が調整位置への位置指定操作であるか否かを判別する判別機能、
前記判別機能により前記ユーザによる前記スライダに対する操作が調整位置への位置指定操作であると判別された場合には、予め設定されている調整量の変化速度に対応する速度で、前記調整位置表示機能により表示されている調整位置に対応するレベルまで前記調整量を変化させた後に停止させる制御を行う制御機能、
前記制御機能により制御される調整量に対応する位置を前記スライダに対応させて表示する制御位置表示手機能
を実現させるためのプログラム。